(57)【要約】【課題】全体的にコンパクトで、既存の多種多様の携帯電話機等の通信機器に、簡単に且つ体裁よく取り付けて使用することができる骨伝導スピーカユニットを提供することを課題とし、骨伝導スピーカ２をその振動板３が露出するように組み込んだユニットケース１を設け、ユニットケース１に、骨伝導スピーカ２に接続された、イヤホンジャック対応のプラグ４を配設し、プラグ４を携帯電話機その他の通信機器の筐体２１のイヤホンジャック２２に接続することにより、当該通信機器のスピーカとしての使用を可能にした。【選択図】図１
2015033677.tif 000002
【特許請求の範囲】
【請求項１】
骨伝導スピーカをその振動板が露出するように組み込んだユニットケースを設け、前記ユニットケースに、前記骨伝導スピーカに接続された、イヤホンジャック対応のプラグを配設し、前記プラグを携帯電話機その他の通信機器の筐体のイヤホンジャックに接続することにより、当該通信機器のスピーカとしての使用を可能にしたことを特徴とする骨伝導スピーカユニット。
【請求項２】
前記ユニットケースは、前記プラグが前記イヤホンジャックに差し込まれることによって前記通信機器の筐体に固定状態となる、請求項１に記載の骨伝導スピーカユニット。
【請求項３】
前記ユニットケースに、前記通信機器の筐体に対する位置決めガイドを設けた、請求項１又は２に記載の骨伝導スピーカユニット。
【請求項４】
前記ユニットケースに、前記通信機器の筐体に対する係止手段を設けた、請求項１又は２に記載の骨伝導スピーカユニット。
【請求項５】
前記プラグを、前記ユニットケースの底面にスライド可能に設置した、請求項１又は２に記載の骨伝導スピーカユニット。
【請求項６】
前記プラグを、前記ユニットケースの底面に垂直方向に回動可能に設置した、請求項１に記載の骨伝導スピーカユニット。
【請求項７】
前記プラグに、先端にイヤホンジャックに対応するプラグを備えたジャック付アダプターケーブルのジャックを接続した、請求項６に記載の骨伝導スピーカユニット。    
【請求項８】
前記ユニットケースに前記通信機器の筐体上部に対向する固定板を設け、前記固定板に前記筐体上部に対する定着手段を配設した、請求項１に記載の骨伝導スピーカユニット。
【請求項９】
前記ユニットケース内にアンプ及びバッテリーを内蔵した、請求項１乃至８のいずれかに記載の骨伝導スピーカユニット。
【発明の詳細な説明】
【技術分野】
【０００１】
本発明は、骨伝導スピーカユニットに関するものであり、より詳細には、既存の携帯電話機等の通信機器に簡単に装着して使用することができる骨伝導スピーカユニットに関するものである。
【背景技術】
【０００２】
現行の携帯電話のスピーカの大部分は、基本的にはダイナミックスピーカユニットとＥＣＭマイクロホンが組み込まれたセットであるが、この組み合わせの場合、高騒音下では、相手からの音声が聞こえにくいことが知られている。マイクロホンの場合は、ノイズキャンセリング回路を組み込むことによってある程度は改善されているが、相手からの音声は、スピーカの音量を上げることで対応せざるを得ない。しかし、現行の携帯電話ではその対応にも限度があり、聞き取り不可能な状況が発生することを回避することは困難である。【０００３】
高騒音下での通話には、骨伝導マイクロホン及び骨伝導スピーカを用いることが有効であることが知られている。骨伝導スピーカユニットは、音声信号を振動に変換して頭骨等に伝達するもので、小型軽量で騒音下での使用も可能なことから、近時携帯電話機等の通信機器に広く用いられるようになってきている。【０００４】
ところで、骨伝導マイクロホンや骨伝導スピーカを携帯電話機等に用いる場合、それらのデバイスは携帯電話機等の通信機器の筐体内に組み込まれて使用されるが、当然それは予め筐体内にそれらのデバイス装填用スペースが設けられ、そのスペースに組み込まれることになる（特許文献１−３参照）。従って、既存の一般の携帯電話機のように、それらのデバイスの装填が予定されておらず、その装填用スペースが用意されていない通信機器に用いることはできない。【０００５】
骨伝導スピーカを既存の携帯電話機に装着して用いるものとして、難聴者用携帯電話機アタッチメントが提案されている（特許文献４参照）。それは、携帯電話機の受話口に密着配置されるマイクと、使用時に頭部の一部に当接するように配置される骨伝導スピーカーと、アンプ及びバッテリーを備えた本体ユニットと、前記マイク、骨伝導スピーカー及び本体ユニットを前記携帯電話機に取り付けるための固定手段とから成るものである。【０００６】
そして、前記固定手段が、中間に伸縮部を有していて、前記マイク、骨伝導スピーカー及び本体ユニット設置側端部を湾曲させて前記携帯電話機のアンテナ設置側端面部に引掛ける上部フックとなし、反対側端部に、前記携帯電話機の充電端子設置側端面部に引掛ける下部フックを設けて成るものであるため、このアタッチメントを使用し得る携帯電話機はかなり限定され、汎用性に欠ける。また、アタッチメント全体が大きいために、外観を損ねるという問題もある。
【先行技術文献】
【特許文献】
【０００７】
【特許文献１】ＷＯ２００４／０５１９６７Ａ１
【特許文献２】特開２０１２−１５１７１７号公報
【特許文献３】特許第４３０７４４６号公報
【特許文献４】特許第３３１２９０２号公報
【発明の概要】
【発明が解決しようとする課題】
【０００８】
上述したように、従来の骨伝導スピーカを備えた携帯電話機等の通信機器の場合は、骨伝導スピーカは予め通信機器の筐体内に組み込まれるものであって、既存の通信機器に後付けすることは予定されておらず、また、既存の携帯電話機に装着して用いる難聴者用携帯電話機アタッチメントの場合は、汎用性に欠け、外観を損ねるという問題がある。そこで、本発明はこのような問題のない、即ち、全体的にコンパクトで、既存の多種多様の携帯電話機等の通信機器に、簡単に且つ体裁よく取り付けて使用することができる骨伝導スピーカユニットを提供することを課題とする。
【課題を解決するための手段】
【０００９】
上記課題に接した本発明者らは、現行の大部分の携帯電話機が、イヤホンやヘッドフォンを差し込む受け口であるイヤホンジャックを備えていることに着目し、イヤホンジャックを利用して、簡単に携帯電話機本体に骨伝導スピーカを取り付けることができるのではないか、との発想の下に本発明を完成させたものである。【００１０】
上記課題を解決するための請求項１に係る発明は、骨伝導スピーカをその振動板が露出するように組み込んだユニットケースを設け、前記ユニットケースに、前記骨伝導スピーカに接続された、イヤホンジャック対応のプラグを配設し、前記プラグを携帯電話機その他の通信機器の筐体のイヤホンジャックに接続することにより、当該通信機器のスピーカとしての使用を可能にしたことを特徴とする骨伝導スピーカユニットである。【００１１】
一実施形態においては、前記ユニットケースは、前記プラグを前記イヤホンジャックに差し込むことによって前記通信機器の筐体に固定状態にされる。また、一実施形態においては、前記ユニットケースに、前記通信機器の筐体に対する位置決めガイドが形成され、あるいは、前記ユニットケースに、前記通信機器の筐体に対する係止手段が形成される。【００１２】
また、一実施形態においては、前記プラグは前記ユニットケースの底面にスライド可能に設置され、あるいは、前記プラグは前記ユニットケースの底面に垂直方向に回動可能に設置され、更に、前記プラグに、先端にイヤホンジャックに対応するプラグを備えたジャック付アダプターケーブルのジャックが接続されることもある。【００１３】
更に一実施形態においては、前記ユニットケースに前記通信機器の筐体上部に対向する固定板が設けられ、前記固定板に前記筐体上部に対する定着手段が配設される。
【発明の効果】
【００１４】
本発明は上述したとおりであるので、全体的にコンパクトで、既存の多種多様の携帯電話機等の通信機器の筐体に簡単且つ体裁よく装着して使用することができ、不要時に取り外し、また、交換することも容易である。そして、筐体に装着した状態において、骨伝導スピーカ（振動板）が携帯電話機のスピーカ位置と略同じ位置に配置されることになるため、骨伝導スピーカを簡単確実に使用者の耳珠上に配置することができ、以て、最も効率よく音声を聞くことが可能となり、殊に、伝音性難聴者が使用する場合に有効且つ有用なものとなる効果がある。
【図面の簡単な説明】
【００１５】
【図１】本発明に係る骨伝導スピーカユニットの第１の実施形態の斜視図である。
【図２】本発明に係る骨伝導スピーカユニットの第２の実施形態の上面視及び下面視斜視図である。
【図３】本発明に係る骨伝導スピーカユニットの第３の実施形態の斜視図である。
【図４】本発明に係る骨伝導スピーカユニットの第４の実施形態の斜視図及び部分切截切正面図である。
【図５】本発明に係る骨伝導スピーカユニットの第５の実施形態の斜視図である。
【発明を実施するための形態】
【００１６】
本発明を実施するための形態について、添付図面に依拠して説明する。図１は、本発明に係る骨伝導スピーカユニットの第１の実施形態の斜視図で、そこに示されるように本発明に係る骨伝導スピーカユニットは、骨伝導スピーカ２をその振動板３が露出するように組み込んだユニットケース１を設け、ユニットケース１に、その底面から突出するようにして、骨伝導スピーカ２に接続されているイヤホンジャック対応のプラグ４を配設して成るものである。ユニットケース１内には、必要に応じて、アンプ及びバッテリーが内蔵される。
【００１７】
この第１の実施形態の場合、骨伝導スピーカユニットは、そのプラグ４をイヤホンジャック２２を備えた携帯電話機その他の通信機器（以下単に「通信機器」とする）の筐体２１のイヤホンジャック２２に差し込むことにより、筐体２１にセットされ、当該通信機器のスピーカとしての使用が可能となる。
【００１８】
この第１の実施形態の場合は、ユニットケース１に、プラグ４をイヤホンジャック２２に対して位置決めするための位置決めガイド５が形成される。図示した例における位置決めガイド５は、ユニットケース１の底面の両端部に下方に延設された左右一対の部材であり、位置決めガイド５で筐体２１の上部側面を挟むことにより、プラグ４がイヤホンジャック２２上に位置決めされ、そのまま下降させることにより、プラグ４がイヤホンジャック２２に差し込まれる。なお、位置決めガイド５は、図示したような断面直角形状であることが好ましいが、筐体２１の両側面及び前後面に当接する左右一対、ないし、前後一対の平板材であってもよい。
【００１９】
筐体２１の上面におけるイヤホンジャック２２設置位置は必ずしも一定ではなく、通信機器によって異なる可能性がある。図２に示す第２の実施形態は、このような場合を考慮し、プラグ４を、ユニットケース１の底面に対して横方向にスライド可能に設置したものである。横方向にスライド可能にするために、例えば、プラグ４は可動ベース６から突出するようにされ、その可動ベース６が、ユニットケース１の底面に配設された横長孔７に摺動可能に係止される構成とされる。この実施形態の場合は、先ず、プラグ４を、セットする筐体２１のイヤホンジャック２２の位置に合わせて横移動させ、その後上記同様にしてユニットケース１を筐体２１にセットする。
【００２０】
図３に示す第３の実施形態は、ユニットケース１に、筐体２１に対する係止手段を設けたものである。図示した例における係止手段は、ユニットケース１の底面に延設された、筐体２１の上部を幅方向に挟むクリップ部材８である。クリップ部材８は弾性を有していて若干開閉可能であり、少し開かせて筐体２１上部を滑り込ませれば、その復元力で筐体２１の上部が挟持される。この場合のプラグ４の構成、並びに、イヤホンジャック２２への差し込み操作は、上記第１及び第２の実施形態の場合に準ずる。
【００２１】
図４に示す第４の実施形態においては、プラグ４は、ユニットケース１内下部に回動可能に配備された回動ブロック９に設置され、回動ブロック９の動きに伴って、垂直状態から水平状態の範囲内において回動するようにされる。また、ユニットケース１の底部に、水平状態に回動させたプラグ４が収まる空間部１０が形成される。そして、空間部１０内に収まったプラグ４に、ユニットケース１の側面に設けた開口１１から挿入した、ジャック付アダプターケーブル１２のジャック１３が接続される。ジャック付アダプターケーブル１２は、先端に、イヤホンジャック２２に対応するプラグ１４を備える。
【００２２】
この第４の実施形態の場合も、第１の実施形態の場合と同様の位置決め部材５が形成されており、筐体２１の上面にイヤホンジャック２２を備えた通信機器に装着する場合には、プラグ４を垂直状態にし、第１の実施形態と同様にして筐体１１に装着することができる。また、イヤホンジャック２２が筐体２１の上面ではなく、側面に設けられている通信機器に装着する場合には、プラグ４を水平に回動させ、ユニットケース１の側面の開口１１から挿し入れたジャック付アダプターケーブル１２のジャック１３に差し込まれるようにする。そして、ジャック付アダプターケーブル１２のプラグ１４を、筐体２１のイヤホンジャック２２に差し込む。
【００２３】
なお、この第４の実施形態の場合は、ユニットケース１を筐体２１の上部に安定的に装着するために、必要に応じ、ユニットケース１と筐体２１の上部側面との間に両面テープ等の粘着手段を介在させ、あるいは、ねじ止め等の手段を用いたりする。
【００２４】
図５に示す第５の実施形態は、ユニットケース１の背面又は裏面に、左右両方向に延びる固定板１５が設置され、固定板１５の筐体２１当接面側に、筐体２１の後面又は前面の上部に対する定着手段が配備される。図示した例における定着手段は吸盤１６であるが、両面テープ等であってもよい。この第５の実施形態の場合は、ユニットケース１が筐体２１の上面上に乗るように配置され、固定板１５が、その吸盤１６その他の定着手段を介して筐体２１の後面又は前面の上部に固定されることにより、筐体２１に装着される。
【００２５】
この場合は、ユニットケース１から、骨伝導スピーカ２に接続されたプラグケーブル１７が引き出され、プラグケーブル１７の先端のプラグ１８が、筐体２１の上面又は側面のジャック２２に差し込まれる。
【００２６】
以上いずれの実施形態の場合も、ユニットケース１を筐体２１に装着し、プラグ４、１４、１８を筐体２１のイヤホンジャック２２に差し込むことにより、骨伝導スピーカ２を当該通信機器のスピーカとして使用することが可能となる。ユニットケース１をイヤホンジャック２２が筐体２１の上面に配置されている通信機器にセットする場合は、プラグ４をイヤホンジャック２２に差し込むだけで装着完了となるので、装着作業は極めて簡単である。
【００２７】
一般の携帯電話機の場合、上記装着状態において、骨伝導スピーカ２（振動板３）が携帯電話機のスピーカ位置と略同じ位置に配置されることになるので、骨伝導スピーカ２を簡単確実に使用者の耳珠上に配置することができ、以て、最も効率よく音声を聞くことが可能となる（健聴者が骨伝導スピーカを使用する場合、骨伝導スピーカを耳珠上に配置したときが最も効率よく聴取できることは、周知の事実である。）。また、骨導スピーカが伝音性難聴者に非常に有効であることも知られているので、本発明に係る骨伝導スピーカユニットを備えた携帯電話機は、伝音性難聴者が使用する場合に、特に有効且つ有用なものとなる。
【００２８】
この発明をある程度詳細にその最も好ましい実施形態について説明してきたが、この発明の精神と範囲に反することなしに広範に異なる実施形態を構成することができることは明白である。従って、この発明は、添付の請求の範囲において限定した以外はその特定の実施形態に制約されるものではない。
【符号の説明】
【００２９】
１    ユニットケース
２    骨伝導スピーカ
３    振動板
４、１４、１８  プラグ
５    位置決めガイド
６    ベース
７    横長孔
８    クリップ部材
９    回動ブロック
１０    空間部
１１    開口
１２    ジャック付アダプターケーブル
１３    ジャック
１５    固定板
１６    吸盤
１７    プラグケーブル
２１    筐体
２２    イヤホンジャック
【図１】
2015033677.tif 000003
【図２】
2015033677.tif 000004
【図３】
2015033677.tif 000005
【図４】
2015033677.tif 000006
【図５】
2015033677.tif 000007
【国際調査報告】
2015033677.tif 000008
2015033677.tif 000009
2015033677.tif 000010
2015033677.tif 000011